(57)【要約】【課題】  スタンド設置タイプにした場合に、スピーカ付き表示装置の低音領域の周波数限界を下げることが可能となり、豊かな低音を再生することができる。【解決手段】  スピーカ付き表示装置１０が壁掛け設置タイプとする場合には、エックステンション部材３１ａ、３１ｂは、収縮状態にするために、エックステンション部３０ａ、３０ｂに収められている。この場合は、スピーカ・ボックスの容積Ｖｃは、通常の大きさとなっている。一方、スピーカ付き表示装置１０がスタンド設置タイプとし、スピーカ・ボックスの容積Ｖｃを大きくするために、このエックステンション部３０ａ、３０ｂからエックステンション部材３１ａ、３１ｂを引き出すことによって、スピーカ・ボックス２１の隔壁（ｂ）をスピーカ・ユニット２２の後方に移動し、スピーカ・ボックス全体の容積をＶｃからＶｃ１に拡張させる。【選択図】  図２
2006186490.tif 000002
【特許請求の範囲】
【請求項１】
スタンドタイプの設置又は壁掛けタイプの設置ができるスピーカ・システム一体型液晶テレビ用スピーカ付き表示装置であって、
スピーカ・ボックスの隔壁内に設けられているエックステンション部と、
前記エックステンション部の内部に収納されている状態から引き出し、前記スピーカ・ボックスの第１及び第２の隔壁を分離する役目を果たす前記エックステンション部材とからなる奥行き可変部を備え、
前記スタンドタイプの設置とした場合、前記奥行き可変部は、実質的に前記スピーカ・ボックスの奥行きを可変し、前記スピーカ・ボックスの容積を可変することを特徴とするスピーカ付き表示装置。
【請求項２】
スタンドタイプの設置又は壁掛けタイプの設置ができるスピーカ・システム一体型液晶テレビ用スピーカ付き表示装置であって、
スピーカ・ボックスの第１の隔壁と第２の隔壁の接触する部分に両端部を固定し、スピーカ・ボックスの前記第１及び前記第２の隔壁を分離する役目を果たすことによって、スピーカ・ボックスの前記第１及び前記第２の隔壁を分離する役目を果たし、スピーカ・ボックスの奥行きを可変するエックステンション部材を備え、
前記スタンドタイプの設置とした場合、前記エックステンション部材は、前記スピーカ・ボックスの奥行き方向の長さを変えることにより、前記スピーカ・ボックスの容積を可変することを特徴とするスピーカ付き表示装置。
【請求項３】
前記エックステンション部材は、形状記憶プラスチックであり、前記スピーカ・ボックスの奥行き方向の長さを可変できることを特徴とする請求項１又は請求項２に記載のスピーカ付き表示装置。
【請求項４】
前記エックステンション部材は、形状記憶合金であり、前記スピーカ・ボックスの奥行き方向の長さを可変できることを特徴とする請求項１又は請求項２に記載のスピーカ付き表示装置。
【請求項５】
前記エックステンション部材は、前記エックステンション部の内部に収納されている状態から前記エックステンション部内をスライドしながら、引き出され、前記スピーカ・ボックスの奥行き方向の長さを可変できることを特徴とする請求項１に記載のスピーカ付き表示装置。
【発明の詳細な説明】
【技術分野】
【０００１】
本発明はスピーカを内蔵するボックスの容積を可変するスピーカ付き表示装置に関するものである。
【背景技術】
【０００２】
従来、スピーカ・システム一体型液晶テレビ用のスピーカ付き表示装置の設置方法として、図１（ａ）、（ｂ）に示すようなスタンドタイプの設置方法又は壁掛けタイプの設置方法がある。
【０００３】
図１（ａ）は、スタンドタイプの設置方法を示すスピーカ・システムを備えた一体型液晶テレビ用のスピーカ付き表示装置の概観図であり、（ｂ）は、壁掛けタイプの設置方法を示すスピーカ・システムを備えた一体型液晶テレビ用のスピーカ付き表示装置の概観図である。
【０００４】
図１（ｂ）に示すように、スピーカ付き表示装置１０は、液晶ディスプレイ部２７（図４に示す）を内蔵するディスプレイ部２０と、ディスプレイ部２０の両サイドにスピーカ・ユニット２２（図５に示す）を内蔵するスピーカ部２１ａ、２１ｂと、を備えて構成されている。また、図１（ａ）は、さらに、スタンド設置するためのスタンド２２を備えている。
【０００５】
次に、従来のスピーカ部２１の構成及び構造について以下に説明する。
【０００６】
図５は、ディスプレイ部２０の一部の構成と合わせた、従来のスピーカ部２１の横断面図である。
【０００７】
スピーカ部２１は、スピーカ・ユニット２２と、スピーカ・ユニット２２を内蔵するスピーカ・ボックス２３と、スピーカ・ボックス２３の前面に据付けられているスピーカ・ネット２４と、を備えて構成されている。
【０００８】
また、ディスプレイ部２０は、液晶ディスプレイ部２７と、液晶ディスプレイ部２７を支持する支柱２８と、液晶ディスプレイ２７をドライブする回路等を搭載している基板部２９と、これらの構成要素を内蔵するディスプレイ・キャビネット２６と、を備えて構成されている。
【０００９】
図５に示すように、液晶ＴＶ用密閉型スピーカ・システムであるスピーカ部２１は、１ウェイ密閉型スピーカ・ボックス２３内に、従来構造のフルレンジ・スピーカ・ユニット２２を取り付けた構造になっている。このスピーカ・システムの最低共振周波数ｆｏｃは次式で求められる。
【００１０】
ｆｏｃ＝ＳＱＲＴ｛３．５×１０5×ａ4／（Ｖｃ×Ｍｏ）＋ｆｏ2｝・・・（１）
【００１１】
ａ：スピーカ・ユニットの有効振動半径
【００１２】
Ｖｃ：スピーカ・ボックスの容積
【００１３】
Ｍｏ：スピーカ・ユニットの等価機械質量
【００１４】
Ｆｏ：スピーカ・ユニットの最低共振周波数
【００１５】
ここで、上記（１）式に記載する記号ＳＱＲＴは、ルート（平方根）演算を示す記号である。
【００１６】
ところで、上記スピーカ・システムの低域限界周波数は、スピーカ・システムの最低共振周波数ｆｏｃであり、上記（１）式に示すように、スピーカ・ボックス２３の容積Ｖｃに左右される。
【００１７】
すなわち、スピーカ・ボックス２３の容積を大きくすれば、当然、低域限界周波数も下げることが可能である。
【００１８】
よって、スピーカ・ボックス２３の奥行きの相違でスピーカ・システムの最低共振周波数ｆｏｃ、即ち、低域限界周波数も相違する。
【００１９】
尚、（１）式内のパラメータａ，Ｍｏ，Ｆｏの値は、スピーカ・ユニット２２に起因するものであり、スピーカ・ユニット２２が決まると固定される。
【発明の開示】
【発明が解決しようとする課題】
【００２０】
しかしながら、上記図４に示したスピーカ部２１の構造では、図１（ａ）、（ｂ）に示したように壁掛け設置タイプとスタンド設置タイプの兼用場合、スピーカ部２１の奥行きは、デザイン上、壁掛け設置タイプの場合の奥行きつまりセット本体の奥行きに合わせざるを得なかった。
【００２１】
また、スピーカ・ユニット２２を定めると、上述したように、スピーカ・ボックス２３の容積のみでしかスピーカ・システムの最低共振周波数ｆｏｃの値を下げることが出来ない。
【００２２】
従って、スタンド設置にする場合のスピーカ・ボックスの奥行きをスタンドの奥行きに合わせることが出来ないため、スピーカ・システムの最低共振周波数ｆｏｃの値を下げることが出来なかった。
【００２３】
そこで、本願発明は、上記従来の問題点に鑑みてなされたものであって、スピーカ・ボックスの奥行きを可変して、スピーカ・ボックスの容積を可変することができる構造を備えたスピーカ付き表示装置を提供することを目的とするものである。
【課題を解決するための手段】
【００２４】
上記課題を解決するために、本発明に係るスピーカ付き表示装置は、以下の特徴を備えている。
【００２５】
本願発明は、スタンドタイプの設置又は壁掛けタイプの設置ができるスピーカ・システム一体型液晶テレビ用スピーカ付き表示装置であって、スピーカ・ボックスの隔壁内に設けられているエックステンション部と、前記エックステンション部の内部に収納されている状態から引き出し、前記スピーカ・ボックスの第１及び第２の隔壁を分離する役目を果たす前記エックステンション部材とからなる奥行き可変部を備え、前記スタンドタイプの設置とした場合、前記奥行き可変部は、実質的に前記スピーカ・ボックスの奥行きを可変し、前記スピーカ・ボックスの容積を可変することを特徴とする。
【００２６】
また、本願発明は、スタンドタイプの設置又は壁掛けタイプの設置ができるスピーカ・システム一体型液晶テレビ用スピーカ付き表示装置であって、スピーカ・ボックスの第１の隔壁と第２の隔壁の接触する部分に両端部を固定し、スピーカ・ボックスの前記第１及び前記第２の隔壁を分離する役目を果たすことによって、スピーカ・ボックスの奥行きを可変するエックステンション部材を備え、前記スタンドタイプの設置とした場合、前記エックステンション部材は、前記スピーカ・ボックスの奥行き方向の長さを変えることにより、前記スピーカ・ボックスの容積を可変することを特徴とする。
【００２７】
また、本願発明は、前記エックステンション部材が、形状記憶プラスチックであり、前記スピーカ・ボックスの奥行き方向の長さを可変できることを特徴とする。
【００２８】
また、本願発明は、前記エックステンション部材は、形状記憶合金であり、前記スピーカ・ボックスの奥行き方向の長さを可変できることを特徴とする。
【００２９】
また、本願発明は、前記エックステンション部材は、形状記憶合金であり、前記スピーカ・ボックスの奥行き方向の長さを可変できることを特徴とする。
【００３０】
また、本願発明は、前記エックステンション部材は、前記エックステンション部の内部に収納されている状態から前記エックステンション部内をスライドしながら、引き出され、前記スピーカ・ボックスの奥行き方向の長さを可変できることを特徴とする。
【発明の効果】
【００３１】
以上説明したように、本発明のスピーカ付き表示装置１０は、スピーカ・ボックスの奥行きを可変する構造を備えており、スピーカ・ボックスの容積を可変することができ、これによって、スタンド設置タイプにした場合に、スピーカ付き表示装置の低音領域の周波数限界を下げることが可能となり、豊かな低音を再生することができる。
【発明を実施するための最良の形態】
【００３２】
以下、本発明に係るスピーカ付き表示装置の実施形態について、図面を参照して詳細に説明する。
【００３３】
図中、同一の符号を付した部分は同一物を表し、基本的な構成は図４に示す従来のものと同様である。
【００３４】
＜第１の実施形態の説明＞
図２は、本発明の第１の実施形態に係るスピーカ付き表示装置におけるスピーカ部の基本構造を説明する横断面図である。
【００３５】
以下に、上記図２を用いて、本発明のスピーカ付き表示装置におけるスピーカ部の構成とその基本構造について説明する。
【００３６】
スピーカ部２１のスピーカ・ボックス２３は、図４で説明した構成要素に加えて、図２（ａ）、（ｂ）に示すように、スピーカ・ボックス２３内の隔壁内に設けられているエックステンション部３０ａ、３０ｂと、このエックステンション部３０ａ、３０ｂ内に収納又は引き出し可能なエックステンション部材３１ａ、３１ｂとからなる奥行き可変部４０を備えて構成されている。
【００３７】
また、後記する図２（ｂ）に示すように、スピーカ・ボックス２１は、前部２１ａと後部２１ｂに分かれていて、スピーカ・ボックス２３の奥行きを拡張した場合、スピーカ・ボックス２１は、エックステンション部材３１ａ、３１ｂを介して繋がっており、スピーカ・ボックス２１内の密閉は、確保される。
【００３８】
図２（ａ）は、エックステンション部３０ａ、３０ｂにエックステンション部材３１ａ、３１ｂが収まっている状態、即ち、エックステンション部材３１ａ、３１ｂの収縮状態を示す図である。
【００３９】
一方、図２（ｂ）は、エックステンション部３０ａ、３０ｂからエックステンション部材３１ａ、３１ｂが引き出されている状態、即ち、エックステンション部材３１ａ、３１ｂの拡張状態を示す図である。
【００４０】
スピーカ付き表示装置１０が図１（ｂ）に示したように、壁掛け設置タイプとする場合には、図２（ａ）に示すように、エックステンション部材３１ａ、３１ｂは、収縮状態にするために、エックステンション部３０ａ、３０ｂに収められている。この場合は、スピーカ・ボックスの容積Ｖｃは、通常の大きさとなっている（この状態を収縮状態と呼ぶことにする）。
【００４１】
一方、スピーカ付き表示装置１０が図１（ａ）に示したように、スタンド設置タイプとし、スピーカ・ボックスの容積Ｖｃを大きくするために、このエックステンション部３０ａ、３０ｂからエックステンション部材３１ａ、３１ｂを引き出すことによって、スピーカ・ボックス２１の隔壁（ｂ）をスピーカ・ユニット２２の後方に移動し、スピーカ・ボックス全体の容積をＶｃからＶｃ１に拡張させる（この状態を拡張状態と呼ぶことにする）。
【００４２】
以上説明したように、スピーカ・ボックス２１は、奥行き可変部４０によって、スピーカ・ボックスの容積Ｖｃを可変することができる。これによって、スタンド設置タイプにおけるスピーカ付き表示装置１０の低音領域の周波数限界を下げることが可能となり、豊かな低音を再生することができる。
【００４３】
次に、奥行き可変部４０の具体的な実施例について説明する。
【実施例】
【００４４】
＜実施例１＞
図３（ａ）、（ｂ）は、奥行き可変部４０の実施例１を示す構造図であり、（ａ）は、収縮状態を示す図であり、（ｂ）は、拡張状態を示す図である。
【００４５】
奥行き可変部４０は、スピーカ・ボックス２１の隔壁２４ａ内に設けられた空洞状のエックステンション部３２と、エックステンション部材３３とから構成されている。エックステンション部材３３の先端には、最大に拡張したときに、エックステンション部３２から抜け落ちないように、両側に突起を有するストッパー３７が設けられている。一方、エックステンション部材３３の後端は、隔壁２４ｂに結合されている。
【００４６】
本実施例では、エックステンション部材３３が、エックステンション部３２の内部をスライドする構造となっている。拡張状態にするためには、隔壁２４ｂに外力を加えて、エックステンション部材３３を引き出して行う。ストッパー３７により、引き出しできなくなるまでの間の距離を可変長とすることができる。
【００４７】
なお、本実施例におけるエックステンション部材３３の材質としては、隔壁２４ａ、２４ｂと同じ材質のものが望ましい。
【００４８】
＜実施例２＞
図３（ｃ）、（ｄ）は、奥行き可変部４０の実施例２を示す構造図であり、（ｃ）は、収縮状態を示す図であり、（ｄ）は、拡張状態を示す図である。
【００４９】
本実施例では、エックステンション部材３５に形状記憶プラスチックを採用しており、この形状記憶プラスチックは、エックステンション部３４の内部に、のこぎり形状等でエックステンション部３４の空洞内に収められている（これを第１の記憶形状状態とする）。
【００５０】
また、形状記憶プラスチックの隔壁２４ａ側の端は、エックステンション部３４の内部で固定されている。
【００５１】
形状記憶プラスチックとして、例えば、熱可塑性を有し、表面が非常の硬度であるトランスポリイソプレンが使用可能である。
【００５２】
拡張状態にするためには、形状記憶プラスチック自体に、例えばヒータ等により熱を印加した後、外力を加えて形状記憶プラスチックが、最大長となるまで、隔壁２４ｂを引き出す。このとき、形状記憶プラスチックは、第２の形状状態となる。ここで、熱印加を終了させ、所定の温度に低下させて、この第２の形状状態を保持させる。
【００５３】
上記形状記憶プラスチックは、例えば、熱可塑性を有するもの他、熱を介さずに、電気刺激、光刺激等による可塑性を有するものがある。
【００５４】
＜第２の実施形態の説明＞
図４は、エックステンション部材３６の第２の実施形態を示す奥行き可変構造を示す図であり、（ａ）は、収縮状態を示す図であり、（ｂ）は、拡張状態を示す図である。
【００５５】
本実施例では、エックステンション部材３５に形状記憶合金（Ｎｉ−Ｔｉ系合金）を採用している。
【００５６】
本実施例の構造は、上記実施形態１とは異なり、隔壁２４ａの内部にエックステンション部材である形状記憶合金３５を収納するエックステンション部を設けず、この形状記憶合金の両端が、直接、隔壁２４ａ及び２４ｂに結合されている構造となっている。
【００５７】
収縮状態である第１の記憶形状状態では、形状記憶合金３６は、蛇腹形状となっており、形状記憶合金３６自体が、隔壁２４ａ及び２４ｂ間の隔壁の役目を果たしている。
【００５８】
拡張状態にするためには、第１の実施形態の実施例２と同様に、形状記憶合金自体に熱を印加した後、外力を加えて形状記憶合金が、最大長となるまで、隔壁２４ｂを引き出す。このとき、形状記憶合金は、第２の形状状態となる。ここで、熱印加を終了し、所定の温度に低下させて、この第２の形状状態を保持させる。
【００５９】
本実施形態で使用する形状記憶合金は、実施例２と同様に、熱可塑性であるＮｉ−Ｔｉ系合金を使用し、その合金の周囲に軟質ゴムで覆い、一定の厚みを持たせている。
【００６０】
さらに、上記第１の実施形態の実施例２の場合とは異なり、形状記憶合金の形状は、１枚の板状のものにする必要はなく、複数枚の板状のものを組み合わせても良い。
【００６１】
なお、本実施形態では、エックステンション部材３６として、形状記憶合金を採用しているが、上記第１の実施形態の実施例２で採用した形状記憶プラスチックであっても良い。
【００６２】
尚、本発明のデジタル放送受信装機は、上記した実施の形態に限定されるものではなく、本発明の要旨を逸脱しない範囲内において種々変更を加え得ることは勿論である。
【図面の簡単な説明】
【００６３】
【図１】（ａ）は、スタンドタイプの設置方法を示すスピーカ・システムを備えた一体型液晶テレビ用のスピーカ付き表示装置の概観図であり、（ｂ）は、壁掛けタイプの設置方法を示すスピーカ・システムを備えた一体型液晶テレビ用のスピーカ付き表示装置の概観図である。
【図２】（ａ）は、エックステンション部３０ａ、３０ｂにエックステンション部材３１ａ、３１ｂが収まっている状態、即ち、エックステンション部材３１ａ、３１ｂが収縮状態を示す図である。（ｂ）は、エックステンション部３０ａ、３０ｂからエックステンション部材３１ａ、３１ｂが引き出されている状態、即ち、エックステンション部材３１ａ、３１ｂが拡張状態を示す図である。
【図３】（ａ）、（ｂ）は、奥行き可変部４０の実施例１を示す構造図であり、（ａ）は、収縮状態を示す図であり、（ｂ）は、拡張状態を示す図である。（ｃ）、（ｄ）は、奥行き可変部４０の実施例２を示す構造図であり、（ｃ）は、収縮状態を示す図であり、（ｄ）は、拡張状態を示す図である。
【図４】エックステンション部材３６の第２の実施形態を示す奥行き可変構造を示す図であり、（ａ）は、収縮状態を示す図であり、（ｂ）は、拡張状態を示す図である。
【図５】ディスプレイ部２０の一部の構成と合わせた、従来のスピーカ部２１の横断面図である。
【符号の説明】
【００６４】
１０  スピーカ付き表示装置
２０  ディスプレイ部
２１ａ、２１ｂ  スピーカ部
２２  スタンド
２３  スピーカ・ボックス
２４、２４ａ、２４ｂ  スピーカ・ボックスの隔壁
２５  スピーカ・ネット
２６  ディスプレイ・キャビネット
２７  液晶ディスプレイ部
２８  支柱
２９  基板部
３０、３２、３４  エックステンション部
３１、３３、３５、３６  エックステンション部材
３７  ストッパー
【図１】
2006186490.tif 000003
【図２】
2006186490.tif 000004
【図３】
2006186490.tif 000005
【図４】
2006186490.tif 000006
【図５】
2006186490.tif 000007